(57)【要約】【課題】移動局が基地局との間で所定条件を満足する通信ができない場合、主電源をオフにして無駄な電力消費を無くすことにより電力の利用効率を向上させる。【解決手段】基地局から送信電力一定で送信される止まり木チャネルを受信してベースバンド信号とし（Ｓ１）、このベースバンド信号が所望の信号であるかどうかを判定し（Ｓ２）、この判定結果に基づいて、前記ベースバンド信号が所望の信号である止まり木チャネルが所定時間持続的に受信されたと判定されると（Ｓ３）、前記移動局の主電源をオンにし（Ｓ４）、前記ベースバンド信号が所望の信号でない止まり木チャネルが所定時間持続的に受信されたと判定されると（Ｓ５）、前記主電源をオフにする（Ｓ６）。【選択図】　図２
2004080502.tif 000002
【特許請求の範囲】
【請求項１】
複数のセルに配置されている各基地局と交信する移動局において、
前記基地局から送信電力一定で送信される止まり木チャネルを受信してベースバンド信号とする受信手段と、
前記受信された止まり木チャネルのベースバンド信号が所望の信号であるかどうかを判定する第１の判定手段と、
前記第１の判定手段の判定結果に基づいて前記ベースバンド信号が所望の信号である止まり木チャネルが所定時間持続的に受信されたか或いは、前記ベースバンド信号が所望の信号でない止まり木チャネルが所定時間持続的に受信されたかを判定する第２の判定手段と、
前記第２の判定手段の判定により、前記ベースバンド信号が所望の信号である止まり木チャネルが所定時間持続的に受信された判定されると前記移動局の主電源をオンにし、前記ベースバンド信号が所望の信号でない止まり木チャネルが所定時間持続的に受信された判定されると前記主電源をオフにし且つ、前記受信手段、前記第１、第２の判定手段、前記電源制御手段に電源を供給する待機電源は前記第２の判定手段の判定結果に拘らず常にオンとする電源制御手段と、
を具備することを特徴とする移動局。
【請求項２】
前記電源制御手段は、前記移動局の送信部へ前記主電源から供給される電源のみをオンオフすることを特徴とする請求項１に記載の移動局。
【請求項３】
前記第１の判定手段の判定結果から前記主電源がオンされるまでの所定時間と、前記第１の判定手段の判定結果から前記主電源がオフされるまでの所定時間が異なることを特徴とする請求項１又は２に記載の移動局。
【請求項４】
前記所定時間を任意の時間に設定する時間設定手段を設けたことを特徴とする請求項１から３いずれか１項に記載の移動局。
【請求項５】
前記受信手段、前記第１、第２の判定手段、前記電源制御手段に電源を供給する待機電源として前記主電源とは電源系統が異なる別の電源を用いることを特徴とする請求項１から４いずれか１項に記載の移動局。
【請求項６】
複数のセルに配置されている各基地局と交信する移動局において、
前記基地局から送信電力一定で送信される止まり木チャネルを受信してベースバンド信号とする受信手段と、
前記受信された止まり木チャネルの受信電力を測定してそれが所定値以上かどうかを判定する測定手段と、
前記測定手段の判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定する判定手段と、
前記判定手段の判定により、前記受信電力が所定電力値以上の止まり木チャネルが持続的に所定時間以上受信されたと判定されると前記移動局の主電源をオンにし、前記受信電力が所定電力値未満の止まり木チャネルが持続的に所定時間以上受信されたと判定されると前記主電源をオフにし且つ、前記受信手段、前記測定手段、前記判定手段、前記電源制御手段に電源を供給する待機電源は前記第２の判定手段の判定結果に拘らず常にオンとする電源制御手段と、
を具備することを特徴とする移動局。
【請求項７】
前記電源制御手段は、前記移動局の送信部へ前記主電源から供給される電源のみをオンオフすることを特徴とする請求項６に記載の移動局。
【請求項８】
前記所定電力値を任意の電力値に設定する電力値設定手段を設けたことを特徴とする請求項６又は７に記載の移動局。
【請求項９】
前記判定手段の判定結果から前記主電源がオンされるまでの所定時間と、前記判定手段の判定結果から前記主電源がオフされるまでの所定時間が異なることを特徴とする請求項６から８のいずれか１項に記載の移動局。
【請求項１０】
前記所定時間を任意の時間に設定する時間設定手段を設けたことを特徴とする請求項６から９のいずれか１項に記載の移動局。
【請求項１１】
前記受信手段、前記測定手段、前記判定手段、前記電源制御手段に電源を供給する待機電源として前記主電源とは電源系統が異なる別の電源を用いることを特徴とする請求項６から１０のいずれか１項に記載の移動局。
【請求項１２】
複数のセルに配置されている各基地局と交信する移動局電源制御方法において、
前記基地局から送信電力一定で送信される止まり木チャネルを受信してベースバンド信号とする受信ステップと、
前記受信された止まり木チャネルのベースバンド信号が所定の信号であるかどうかを判定する第１の判定ステップと、
前記第１の判定結果に基づいて前記ベースバンド信号が所定の信号である止まり木チャネルが所定時間持続的に受信されたか或いは、前記ベースバンド信号が所定の信号でない止まり木チャネルが所定時間持続的に受信されたかを判定する第２の判定ステップと、
前記第２の判定により、前記ベースバンド信号が所定の信号である止まり木チャネルが所定時間持続的に受信されたと判定されると前記移動局の主電源をオンにし、前記ベースバンド信号が所定の信号でない止まり木チャネルが所定時間持続的に受信されたと判定されると前記主電源をオフにする電源制御ステップと、を具備することを特徴とする移動局電源制御方法。
【請求項１３】
複数のセルに配置されている各基地局と交信する移動局電源制御方法において、
前記基地局から送信電力一定で送信される止まり木チャネルを受信してベースバンド信号とする受信ステップと、
前記受信された止まり木チャネルの受信電力を測定してそれが所定電力値以上かどうかを判定する測定ステップと、
前記受信電力測定による判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定する判定ステップと、
前記判定により、前記受信電力が所定電力値以上の止まり木チャネルが持続的に所定時間以上受信されたと判定されると、前記移動局の主電源をオンにし、前記受信電力が所定電力値未満の止まり木チャネルが持続的に所定時間以上受信されたと判定されると、前記主電源をオフにする電源制御ステップと、
を具備することを特徴とする移動局電源制御方法。
【発明の詳細な説明】
【０００１】
【発明の属する技術分野】
本発明は、携帯電話等の移動通信システムの移動局に係り、特に移動局の電力消費を制御するための移動局電源制御方法に関する。
【０００２】
【従来の技術】
従来より、移動局は周辺無線ゾーンでの発信要求信号が干渉波となって発信制御チャネルの利用効率が低下するため、これを改善するための移動局の送信電力制御方式として、特開平０３−２３１５２３号公報に記載されてあるようなものがある。この公知例は、無線基地局との交信が不成功の場合は送信電力の最大値まで順次段階的に送信電力を上げてアクセスすることにより、伝送不完了率を改善する方式である。
【０００３】
【発明が解決しようとする課題】
しかしながら、上記の従来の方式では、移動局が基地局の圏（セル）外である状態が継続すると、基地局との交信が不成功となるため、移動局は上記方式により送信電力を最大値まで上げた状態、即ち最大送信電力で送信をし続けることになる。これでは、移動局は必要以上に電力を消費し続け、電力利用効率が悪化し、電源が電池であるような場合は電池寿命を短くするという課題がある。
【０００４】
本発明は、上記の如き従来の課題を解決するためになされたもので、電力の利用効率を向上させることができる移動局及び移動局電源制御方法を提供することを目的とする。
【０００５】
【課題を解決するための手段】
上記目的を達成する為の本発明の移動局は、複数のセルに配置されている各基地局と交信する移動局において、前記基地局から送信電力一定で送信される止まり木チャネルを受信してベースバンド信号とする受信手段と、前記受信された止まり木チャネルのベースバンド信号が所望の信号であるかどうかを判定する第１の判定手段と、前記第１の判定手段の判定結果に基づいて前記ベースバンド信号が所望の信号である止まり木チャネルが所定時間持続的に受信されたか或いは、前記ベースバンド信号が所望の信号でない止まり木チャネルが所定時間持続的に受信されたかを判定する第２の判定手段と、前記第２の判定手段の判定により、前記ベースバンド信号が所望の信号である止まり木チャネルが所定時間持続的に受信された判定されると前記移動局の主電源をオンにし、前記ベースバンド信号が所望の信号でない止まり木チャネルが所定時間持続的に受信された判定されると前記主電源をオフにし且つ、前記受信手段、前記第１、第２の判定手段、前記電源制御手段に電源を供給する待機電源は前記第２の判定手段の判定結果に拘らず常にオンとする電源制御手段と、を具備することを特徴とする。
【０００６】
上記発明によれば、基地局から送信電力一定で送信される止まり木チャネルを受信してベースバンド信号とし、この受信された止まり木チャネルのベースバンド信号が所望の信号であるかどうかを判定する。この判定結果に基づいて前記ベースバンド信号が所望の信号である止まり木チャネルが所定時間持続的に受信されたか或いは、前記ベースバンド信号が所望の信号でない止まり木チャネルが所定時間持続的に受信されたかを判定する。この判定により、前記ベースバンド信号が所望の信号である止まり木チャネルが所定時間持続的に受信された判定されると前記移動局の主電源をオンにし、前記ベースバンド信号が所望の信号でない止まり木チャネルが所定時間持続的に受信された判定されると前記主電源をオフにする。但し、前記受信手段、前記第１、第２の判定手段、前記電源制御手段に電源を供給する待機電源は上記の電源オンオフ制御中は常にオンとしてある。
【０００７】
本発明の移動局の前記電源制御手段は、前記移動局の送信部へ前記主電源から供給される電源のみをオンオフすることを特徴とする。
【０００８】
上記発明によれば、前記ベースバンド信号が所望の信号である止まり木チャネルが所定時間持続的に受信された判定されると前記移動局の送信部への電源をオンにし、前記ベースバンド信号が所望の信号でない止まり木チャネルが所定時間持続的に受信された判定されると前記送信部への電源をオフにする。
【０００９】
本発明の移動局は、前記第１の判定手段の判定結果から前記主電源がオンされるまでの所定時間と、前記第１の判定手段の判定結果から前記主電源がオフされるまでの所定時間が異なることを特徴とする。
【００１０】
上記発明によれば、受信された止まり木チャネルのベースバンド信号が所望の信号であると判定されてから例えばａ時間後に前記主電源がオンされ、受信された止まり木チャネルのベースバンド信号が所望の信号でないと判定されてから例えばｂ時間後に前記主電源がオフされる。
【００１１】
本発明の移動局は、前記所定時間を任意の時間に設定する時間設定手段を設けたことを特徴とする。
【００１２】
上記発明によれば、使用者は、受信された止まり木チャネルのベースバンド信号が所望の信号であるかどうかの判定から前記主電源がオンオフされるまでの時間を任意の時間に設定する。
【００１３】
本発明の移動局は、前記受信手段、前記第１、第２の判定手段、前記電源制御手段に電源を供給する待機電源として前記主電源とは電源系統が異なる別の電源を用いることを特徴とする。
【００１４】
上記発明によれば、前記主電源とは電源系統が異なる例えば電池電源などから前記受信手段、前記第１、第２の判定手段、前記電源制御手段に電源が供給される。
【００１５】
本発明の移動局は、複数のセルに配置されている各基地局と交信する移動局において、前記基地局から送信電力一定で送信される止まり木チャネルを受信してベースバンド信号とする受信手段と、前記受信された止まり木チャネルの受信電力を測定してそれが所定値以上かどうかを判定する測定手段と、前記測定手段の判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定する判定手段と、前記判定手段の判定により、前記受信電力が所定電力値以上の止まり木チャネルが持続的に所定時間以上受信されたと判定されると前記移動局の主電源をオンにし、前記受信電力が所定電力値未満の止まり木チャネルが持続的に所定時間以上受信されたと判定されると前記主電源をオフにし且つ、前記受信手段、前記測定手段、前記判定手段、前記電源制御手段に電源を供給する待機電源は前記第２の判定手段の判定結果に拘らず常にオンとする電源制御手段と、を具備することを特徴とする。
【００１６】
上記発明によれば、前記基地局から送信電力一定で送信される止まり木チャネルを受信してベースバンド信号とし、この受信された止まり木チャネルの受信電力を測定してそれが所定電力値以上かどうかを判定する。この判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定する。この判定により、前記受信電力が所定電力値以上の止まり木チャネルが持続的に所定時間以上受信されたと判定されると前記移動局の主電源をオンにし、前記受信電力が所定電力値未満の止まり木チャネルが持続的に所定時間以上受信されたと判定されると前記主電源をオフにする。但し、前記受信手段、前記測定手段、前記判定手段、前記電源制御手段に電源を供給する待機電源は上記の電源オンオフ制御中は常にオンとしてある。
【００１７】
本発明の移動局は、前記電源制御手段は、前記移動局の送信部へ前記主電源から供給される電源のみをオンオフすることを特徴とする。
【００１８】
上記発明によれば、前記受信電力が所定電力値以上の止まり木チャネルが持続的に所定時間以上受信されたと判定されると前記移動局の送信部への電源をオンにし、前記受信電力が所定電力値未満の止まり木チャネルが持続的に所定時間以上受信されたと判定されると前記送信部への電源をオフにする。
【００１９】
本発明の移動局は、前記所定電力値を任意の電力値に設定する電力値設定手段を設けたことを特徴とする。
【００２０】
上記発明によれば、使用者は受信した止まり木チャネルの受信電力の大小の判定基準である前記所定電力値を任意の電力値に設定する。
【００２１】
本発明の移動局は、前記判定手段の判定結果から前記主電源がオンされるまでの所定時間と、前記判定手段の判定結果から前記主電源がオフされるまでの所定時間が異なることを特徴とする。
【００２２】
上記発明によれば、受信された止まり木チャネルの受信電力が所定電力値以上と判定されてから例えばａ時間後に前記主電源がオンされ、受信された止まり木チャネルの受信電力が所定電力値未満と判定されてから例えばｂ時間後に前記主電源がオフされる。
【００２３】
本発明の移動局は、前記所定時間を任意の時間に設定する時間設定手段を設けたことを特徴とする。
【００２４】
上記発明によれば、使用者は受信された止まり木チャネルのベースバンド信号が所望の信号であるかどうかの判定から前記主電源がオンオフされるまでの時間を任意の時間に設定する。
【００２５】
本発明の移動局は、前記受信手段、前記測定手段、前記判定手段、前記電源制御手段に電源を供給する待機電源として前記主電源とは電源系統が異なる別の電源を用いることを特徴とする。
【００２６】
上記発明によれば、前記主電源とは電源系統が異なる例えば電池電源などから前記受信手段、前記測定手段、前記判定手段、前記電源制御手段に電源が供給される。
【００２７】
本発明の移動局電源制御方法は、複数のセルに配置されている各基地局と交信する移動局電源制御方法において、前記基地局から送信電力一定で送信される止まり木チャネルを受信してベースバンド信号とする受信ステップと、前記受信された止まり木チャネルのベースバンド信号が所定の信号であるかどうかを判定する第１の判定ステップと、前記第１の判定結果に基づいて前記ベースバンド信号が所定の信号である止まり木チャネルが所定時間持続的に受信されたか或いは、前記ベースバンド信号が所定の信号でない止まり木チャネルが所定時間持続的に受信されたかを判定する第２の判定ステップと、前記第２の判定により、前記ベースバンド信号が所定の信号である止まり木チャネルが所定時間持続的に受信されたと判定されると前記移動局の主電源をオンにし、前記ベースバンド信号が所定の信号でない止まり木チャネルが所定時間持続的に受信されたと判定されると前記主電源をオフにする電源制御ステップと、を具備することを特徴とする。
【００２８】
上記発明によれば、基地局から送信電力一定で送信される止まり木チャネルを受信してベースバンド信号とし、この受信された止まり木チャネルのベースバンド信号が所定の信号であるかどうかを判定し、この判定結果に基づいて前記ベースバンド信号が所定の信号である止まり木チャネルが所定時間持続的に受信されたか或いは、前記ベースバンド信号が所定の信号でない止まり木チャネルが所定時間持続的に受信されたかを判定し、この判定により、前記ベースバンド信号が所定の信号である止まり木チャネルが所定時間持続的に受信されたと判定されると前記移動局の主電源をオンにし、前記ベースバンド信号が所定の信号でない止まり木チャネルが所定時間持続的に受信されたと判定されると前記主電源をオフにする。
【００２９】
本発明の移動局電源制御方法は、複数のセルに配置されている各基地局と交信する移動局電源制御方法において、前記基地局から送信電力一定で送信される止まり木チャネルを受信してベースバンド信号とする受信ステップと、前記受信された止まり木チャネルの受信電力を測定してそれが所定電力値以上かどうかを判定する測定ステップと、前記受信電力測定による判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定する判定ステップと、前記判定により、前記受信電力が所定電力値以上の止まり木チャネルが持続的に所定時間以上受信されたと判定されると、前記移動局の主電源をオンにし、前記受信電力が所定電力値未満の止まり木チャネルが持続的に所定時間以上受信されたと判定されると、前記主電源をオフにする電源制御ステップと、を具備することを特徴とする。
【００３０】
上記発明によれば、前記基地局から送信電力一定で送信される止まり木チャネルを受信してベースバンド信号とし、この受信された止まり木チャネルの受信電力を測定してそれが所定電力値以上かどうかを判定し、この判定結果に基づいて前記受信電力が所定電力値以上の止まり木チャネルが持続的に所定時間以上受信されたか或いは、前記受信電力が所定電力値未満の止まり木チャネルが持続的に所定時間以上受信されたかを判定し、この判定により、前記受信電力が所定電力値以上の止まり木チャネルが持続的に所定時間以上受信されたと判定されると前記移動局の主電源をオンにし、前記受信電力が所定電力値未満の止まり木チャネルが持続的に所定時間以上受信されたと判定されると前記主電源をオフにする。
【００３１】
【発明の実施の形態】
以下、本発明の実施の形態を図面を参照して説明する。
（第１の実施の形態）
【００３２】
図１は、本発明の第１の実施の形態に係る移動局の構成例を示したブロック図である。移動局２００は、送受信用のアンテナ１、アンテナ１により受信した信号を処理してベースバンド信号にする受信部２、受信部２より入力されるベースバンド信号を処理するベースバンド信号処理部３、ベースバンド信号処理部３から入力される信号を処理して送信周波数信号としてアンテナ１に出力する送信部４、ベースバンド信号処理部３から出力される音声信号を送話し或いは、使用者の音声を受話して同ベースバンド信号処理部３に入力する送受話部５、装置全体を制御すると共に装置を動作させる電力供給の有無を制御する制御部６を有し、又、ベースバンド信号処理部３はベースバンド信号判定部３１を備えている。
【００３３】
尚、受信部２、ベースバンド信号処理部３及び制御部６は移動局電力制御部１００を構成している。
【００３４】
次に本実施の形態の動作について説明する。ここで、移動通信システムにおいて、複数のセルの各々に基地局（図示せず）が配置され、各基地局は同一周波数のそれぞれ異なる独自の拡散符号を割り当てられ、この拡散符号で拡散され、送信電力制御を行わない送信電力一定の止まり木チャネルを常時送信している。
【００３５】
受信部２はアンテナ１より受信した止まり木チャネルを処理してベースバンド信号とし、これをベースバンド信号処理部３に出力する。ベースバンド信号処理部３のベースバンド信号判定部３１は前記受信したベースバンド信号が当該移動局２００が受信したい信号（所望の信号）かどうか（有意義かどうか）を判定し、その結果を制御部６に送る。
【００３６】
制御部６は、入力される判定結果が有意義であるという判定で且つ、この判定が一定時間連続してなされていると判断した場合に、移動局２００の主電源（図示せず）をオンするように制御する。一方、制御部６は入力される判定結果が有意義でないという判定で且つ、この判定が一定時間連続してなされていると判断した場合に、移動局２００の主電源をオフにする。但し、移動局２００の主電源をオフにした場合でも、移動局電力制御部１００には待機電源が供給されて動作しているものとする。
【００３７】
図２は図１に示した移動局２００の主電源のオンオフ制御手順を示したフローチャートである。受信部２はステップＳ１にて、止まり木チャネルのベースバンド信号を受信すると、ステップＳ２にてベースバンド信号判定部３１によりベースバンド信号が有意義なものであるかどうかを判定し、有意義でない場合はステップＳ５へ進み、有意義である場合はステップＳ３に進む。
【００３８】
制御部６はステップＳ３にて、前記有意義なベースバンド信号を一定時間以上受信しているかどうかを判断し、受信していない場合はステップＳ２に戻り、一定時間以上受信した場合はステップＳ４に進んで、移動局２００の主電源をオンにして、ステップＳ２に戻る。
【００３９】
一方、ベースバンド信号が有意義でなくステップＳ５に進んだ場合、制御部６は前記有意義でないベースバンド信号を一定時間以上受信しているかどうかを判断し、受信していない場合はステップＳ２に戻り、一定以上時間受信した場合はステップＳ６に進んで、移動局２００の主電源をオフにして、ステップＳ２に戻る。
【００４０】
本実施の形態によれば、移動局２００が基地局の圏外にあるような場合で、受信した止まり木チャネルのベースバンド信号が有意義でない場合は移動局２００と基地局との間で正常な通信ができない状態にあるため、移動局２００の主電源をオフにして送信部４が最大送信電力で基地局に送信をし続けるようなことを防止して、無駄に電力を消費しないようにすることができ、主電源が電池であったような場合はその寿命を長くすることができる。
【００４１】
尚、ベースバンド信号判定部３１の判定結果により主電源をオンオフする対象を送信部４に限っても、送信部４の電力消費が大きいため、ほぼ同様の効果があり、しかも、移動局２００の通信以外の機能を動作させることができ、例えば電話帳入力や電子メール作成を行うことができる。
【００４２】
（第２の実施の形態）
図３は、本発明の第２の実施の形態に係る移動局の構成例を示したブロック図である。但し、図１に示した第１の実施の形態と同様の部分には同一符号を付して説明する。移動局２００は、送受信用のアンテナ１、アンテナ１により受信した信号を処理してベースバンド信号にする受信部２、受信部２より入力されるベースバンド信号を処理するベースバンド信号処理部３、ベースバンド信号処理部３から入力される信号を処理して送信周波数信号としてアンテナ１に出力する送信部４、ベースバンド信号処理部３から出力される音声信号を送話し、或いは使用者の音声を受話して同ベースバンド信号処理部３に入力する送受話部５、装置全体を制御すると共に装置を動作させる電力供給の有無を制御する制御部６、制御部６に使用者の設定データなどを入力する入力部７を有し、又、ベースバンド信号処理部３はベースバンド信号判定部３１を備え、入力部７は時間入力部７１を備えている。
【００４３】
尚、受信部２、ベースバンド信号処理部３、制御部６、入力部７は移動局電力制御部１００を構成している。
【００４４】
次に本実施の形態の動作について説明する。まず、使用者は、入力部７の時間入力部７１からベースバンド信号判定部３１の判定結果に基づいて移動局２００の主電源をオンオフする判断基準となる一定時間を入力して制御部６に設定しておく。受信部２はアンテナ１より受信した止まり木チャネルを処理してベースバンド信号とし、これをベースバンド信号処理部３に出力する。ベースバンド信号処理部３のベースバンド信号判定部３１は前記受信したベースバンド信号が当該移動局２００が受信したい信号かどうか（有意義かどうか）を判断し、その結果を制御部６に送る。
【００４５】
制御部６は、入力される判定結果が有意義であるという判定で且つ、この判定が前記設定された一定時間連続してなされていると判断した場合に、移動局２００の主電源をオンするように制御する。一方、制御部６は入力される判定結果が有意義でないという判定で且つ、この判定が前記設定された一定時間連続してなされていると判断した場合に、移動局２００の主電源をオフにする。但し、移動局２００の主電源をオフにした場合でも、移動局電力制御部１００には待機電源が供給されて動作しているものとする。
【００４６】
ここで、ベースバンド信号判定部３１による同一の判定結果が一定時間連続してなされてから移動局２００の電源をオンオフするということは、ベースバンド信号判定部３１による判定から上記一定時間後に移動局２００の主電源がオンオフされることと同じである。
【００４７】
本実施の形態によれば、移動局２００が基地局の圏外にあるような場合で、受信した止まり木チャネルのベースバンド信号が有意義でない場合に移動局２００の主電源をオフにして送信部４が最大送信電力で基地局に送信し続けるようなことを防止して、無駄に電力を消費しないようにするが、本実施の形態では止まり木チャネルのベースバンド信号が有意義であるかないかを判断する基準である一定時間を使用者が状況に応じて設定できるため、より適切に移動局２００の主電源をオンオフ制御して無駄な電力消費を防止することができる。
【００４８】
例えば、移動局２００が基本的には基地局の圏内であり、一瞬基地局の圏外になっても主電源をオフされることなく済ませることができる。また、この構成によれば、基地局の圏内圏外が頻繁に変わるところを移動中でも、主電源をオンオフされるまでの時間を長めに設定することで、移動局２００に対して主電源のオンオフにより生じる負荷を軽減することができる。
【００４９】
また、時間設定部７１により時間設定する場合、移動局２００をオンするまでの時間、オフするまでの時間を状況に応じて別々に設定することもできる。これにより、主電源がオンされるまでの前記一定時間を長くして主電源がオフされるまでの前記一定時間を短くすることができるので、主電源がオンオフされるまでの前記一定時間が等しいときより省電力化が可能となる。
【００５０】
更に、この構成によれば、主電源がオンされるまでの前記一定時間を短くして主電源がオフされるまでの前記一定時間を長くすることができるので、移動局２００を省電力化しつつ実稼働する時間を長くすることができる。
【００５１】
また、時間設定部７１への時間設定値によって電源のオンオフ機能を解除できる構成とすることもできる。例えば、移動局２００の主電源がオンの時、ベースバンド信号判定部３１による同一判定結果が持続することがないような異常に長い時間設定を時間設定部７１により行えば、移動局２００の主電源がオフになることがなく、電源オンオフ機能を解除した状態にすることができる。
【００５２】
これにより、例えば、電車に乗っていてトンネルが続くようなときに移動局２００を用いて電子メールを書いているような状況では、移動局電力制御部１００の機能をオフにすることで電子メールを書き続けることができる。書き終えた後は移動局電力制御部１００の機能をオンにすることができるので、オフのままであるという心配はない。
【００５３】
なお、制御部６による主電源のオンオフ制御は送信部４に対してのみ行われるようにしても、送信部４での電力消費が大きいため、ほぼ同様の効果がある。
【００５４】
（第３の実施の形態）
図４は、本発明の第３の実施の形態に係る移動局の構成例を示したブロック図である。但し、図１に示した第１の実施の形態と同様の部分には同一符号を付して説明する。移動局２００は、送受信用のアンテナ１、アンテナ１により受信した信号を処理してベースバンド信号にする受信部２、受信部２より入力されるベースバンド信号を処理するベースバンド信号処理部３、ベースバンド信号処理部３から入力される信号を処理して送信周波数信号としてアンテナ１に出力する送信部４、ベースバンド信号処理部３から出力される音声信号を送話し、或いは使用者の音声を受話して同ベースバンド信号処理部３に入力する送受話部５、装置全体を制御すると共に装置を動作させる電力供給の有無を制御する制御部６を有し、又、ベースバンド信号処理部３はベースバンド信号判定部３１を備えている。
【００５５】
尚、受信部２、ベースバンド信号処理部３及び制御部６は移動局電力制御部１００を構成し、この移動局電力制御部１００に電源を専用に供給する移動局電力制御装置用電源８が設けられている。
【００５６】
本実施の形態は、移動局２００の主電源（図示せず）を使わずに、移動局電力制御装置用電源８から移動局電力制御部１００に電力を供給する構成であるため、制御部６がベースバンド信号判定部３１の判定結果により移動局２００の主電源をオフした場合でも、移動局電力制御部１００は移動局電力制御装置用電源８の電源により動作するため、通信機能を有する移動局２００本体に必要となる主電源を消費することがない。
【００５７】
従って、主電源の電力消費を少なくして移動局２００の主動作の継続時間を長くすることができる。更に、通話機能を有する移動局２００本体の主電源と移動局電力制御部１００の電源とを別にしているから、どちらか一方が故障しても、もう一方の機能は維持される。他の効果は図１に示した第１の実施の形態と同様である。
【００５８】
なお、移動局電力制御装置用電源８は、振動により発電して充電可能なバッテリーを電源として使用することもできる。これにより、移動局２００は持ち運びされ常時振動が与えられる環境下にあるため、前記移動局２００の移動局電力制御部１００に必要となる電源を半永久的に供給できる。
【００５９】
（第４の実施の形態）
図５は、本発明の第４の実施の形態に係る移動局の構成例を示したブロック図である。移動局２００は、送受信用のアンテナ１、受信部２、ベースバンド信号処理部３、送信部４、送受話部５、制御部６を有し、図１に示した第１の実施の形態と同様であるが、ベースバンド信号処理部３にベースバンド信号判定部３１が接続され、ベースバンド信号判定部３１がベースバンド信号処理部３の外部に形成されている。
【００６０】
尚、受信部２、ベースバンド信号処理部３、制御部６及びベースバンド信号判定部３１は移動局電力制御部１００を構成している。
【００６１】
本実施の形態によれば、ベースバンド信号判定部３１がベースバンド信号処理部３の外部に形成されているため、通話機能を有する移動局２００本体とベースバンド信号判定部３１とが別であるので、どちらか一方が故障してももう一方の機能は維持される。例えばベースバンド信号判定部３１が故障しても移動局２００本体が故障していない場合には、移動局２００本体の通話機能は損なわれずに済む。他の構成及び動作は図１に示した第１の実施の形態と同様で、同様の効果がある。
【００６２】
尚、本実施の形態の構成に、図３に示した第２の実施の形態のように、時間入力部７１を設けて時間設定を行えるようにしたり、或いは図４に示した第３の実施の形態のように、移動局電力制御装置用電源８を設ける構成として同様の効果を得ることができる。
【００６３】
（第５の実施の形態）
図６は、本発明の第５の実施の形態に係る移動局の構成例を示したブロック図である。但し、図１に示した第１の実施の形態と同様の部分には同一符号を付して説明する。移動局２００は、送受信用のアンテナ１、アンテナ１により受信した信号を処理してベースバンド信号にする受信部２、受信部２より入力されるベースバンド信号を処理するベースバンド信号処理部３、ベースバンド信号処理部３から入力される信号を処理して送信周波数信号としてアンテナ１に出力する送信部４、ベースバンド信号処理部３から出力される音声信号を送話し或いは、使用者の音声を受話して同ベースバンド信号処理部３に入力する送受話部５、装置全体を制御すると共に装置を動作させる電力供給を制御する制御部６を有し、受信部２は受信電力測定部２１を備えている。
【００６４】
尚、受信部２、ベースバンド信号処理部３及び制御部６は移動局電力制御部１００を構成している。
【００６５】
次に本実施の形態の動作について説明する。受信部２は図示されない基地局から送信される止まり木チャネルをアンテナ１より受信して、受信処理してベースバンド信号とし、これをベースバンド信号処理部３に出力する。その際、受信電力測定部２１は止まり木チャネルの受信電力を測定し、期待値以上の電力で受信できているか否かを判定し、その結果を制御部６に送る。
【００６６】
制御部６は、入力される判定結果が期待値以上の電力であるという判定で且つ、この判定が一定時間連続してなされていると判断した場合に、移動局２００の主電源をオンするように制御し、入力される判定結果が期待値未満の電力であるという判定で且つ、この判定が一定時間連続してなされていると判断した場合に、移動局２００の主電源をオフにする。但し、移動局２００の主電源をオフにした場合でも、移動局電力制御部１００には待機電源が供給されて動作しているものとする。
【００６７】
図７は図６に示した移動局２００の電源オンオフ制御手順を示したフローチャートである。受信部２はステップＳ１１にて、止まり木チャネルのベースバンド信号を受信すると、ステップＳ１２にて止まり木チャネルの受信電力が期待値（一定値）以上であるかどうかを判定し、期待値以上でない場合はステップＳ１５へ進み、期待値以上である場合はステップＳ１３に進む。
【００６８】
制御部６はステップＳ１３にて、前記受信電力が期待値以上であるベースバンド信号を一定時間以上受信しているかどうかを判断し、そうでない場合はステップＳ１２に戻り、一定時間以上受信した場合はステップＳ１４に進んで、移動局２００の主電源をオンにして、ステップＳ１２に戻る。
【００６９】
一方、制御部６は受信電力が期待値以上でなくステップＳ１５に進んだ場合、前記受信電力が期待値未満であるベースバンド信号を一定時間以上受信しているかどうかを判断し、受信していない場合はステップＳ１２に戻り、一定時間以上受信した場合はステップＳ１６に進んで、移動局２００の主電源をオフにした後、ステップＳ１２に戻る。
【００７０】
本実施の形態によれば、移動局２００が基地局の圏外にあるような場合で、受信した止まり木チャネルの受信電力が期待値未満の場合は移動局２００と基地局との間で正常な通信ができない状態にあるため、移動局２００の主電源をオフにして送信部４が最大送信電力で基地局に送信し続けるようなことを防止して、無駄に電力を消費しないようにすることができる。
【００７１】
また、止まり木チャネルの電力を測定する機能を有する受信部２と制御部６で主電源のオンオフを行えるため、主電源のオフの時、移動局２００のベースバンド信号処理部３に電源を供給せずに済むため、主電源を構成する電池の寿命を更に長くすることができる。
【００７２】
尚、制御部６による主電源のオンオフ制御は送信部４に対してのみ行われるようにしても、送信部４での電力消費が大きいため、ほぼ同様の効果がある。
【００７３】
（第６の実施の形態）
図８は、本発明の第６の実施の形態に係る移動局の構成例を示したブロック図である。但し、図６に示した第５の実施の形態と同様の部分には同一符号を付して説明する。移動局２００は、送受信用のアンテナ１、アンテナ１により受信した信号を処理してベースバンド信号にする受信部２、受信部２より入力されるベースバンド信号を処理するベースバンド信号処理部３、ベースバンド信号処理部３から入力される信号を処理して送信周波数信号としてアンテナ１に出力する送信部４、ベースバンド信号処理部３から出力される音声信号を送話し或いは、使用者の音声を受話して同ベースバンド信号処理部３に入力する送受話部５、装置全体を制御すると共に装置を動作させる電力供給を制御する制御部６を有し、制御部６に使用者の設定データなどを入力する入力部７を有し、又、受信部２は止まり木チャネルの受信電力を測定する受信電力測定部２１を備え、入力部７は電力値入力部７２を備えている。
【００７４】
尚、受信部２、ベースバンド信号処理部３、入力部７及び制御部６は移動局電力制御部１００を構成している。
【００７５】
次に本実施の形態の動作について説明する。まず、使用者は、入力部７の電力値入力部７２から受信電力測定部２１の判定基準となる受信電力の期待値を入力して制御部６に設定しておく。
【００７６】
受信部２は図示されない基地局から送信される止まり木チャネルをアンテナ１より受信してベースバンド信号とし、これをベースバンド信号処理部３に出力する。その際、受信電力測定部２１は止まり木チャネルの受信電力を測定し、前記設定された期待値以上の電力で受信できているか否かを判定し、その結果を制御部６に送る。
【００７７】
制御部６は、入力される判定結果が前記設定された期待値以上の電力であるという判定で且つ、この判定が一定時間連続してなされていると判断した場合に、移動局２００の主電源をオンするように制御し、入力される判定結果が前記設定された期待値未満の電力であるという判定で且つ、この判定が一定時間連続してなされていると判断した場合に、移動局２００の主電源をオフにする。但し、移動局２００の主電源をオフにした場合でも、移動局電力制御部１００には電源が供給されて動作しているものとする。
【００７８】
本実施の形態によれば、移動局２００が基地局の圏外にあるような場合で、受信した止まり木チャネルの受信電力が期待値未満の場合に移動局２００の主電源をオフにして送信部４が最大送信電力で基地局に送信し続けるようなことを防止して、無駄に電力を消費しないようにするが、本実施の形態では止まり木チャネルの受信電力の大小を判断する期待値を使用者が状況に応じて設定できるため、より適切に移動局２００の主電源をオン、オフ制御して無駄な電力消費を防止することができる。
【００７９】
例えば、使用者が省電力通信を行いたい時は前記期待値を大きく設定することで可能となる。また、使用者が基地局の圏外にならない限り通信したくない時は使用者により前記期待値を小さく設定することで可能となる。
【００８０】
尚、入力部７に電力値入力部７２の他に、時間入力部７１を設け、受信電力測定部２１から同一の判定結果が持続的に出力された時に、制御部６が移動局２００の主電源をオン、オフするまでの一定時間を、状況に応じて前記時間入力部７１から使用者が予め設定できるようにして、更に適切に移動局２００の電源オン、オフ制御をして無駄な電力消費を防止することができる。
【００８１】
又、入力部７に時間入力部７１のみを設けて、受信電力の大小を判定する基準である期待値を予め固定とし、受信電力測定部２１から同一の判定結果が持続的に出力された時に、制御部６が移動局２００の主電源をオンオフするまでの一定時間を予め時間入力部７１から使用者により設定できるようにしても良い。
【００８２】
上記の時間入力部７１が設けられている場合、制御部６が移動局２００の主電源をオンするまでの時間と、オフするまでの時間を別々に設定できるようにしても良い。
【００８３】
また、電力値入力部７２への設定値によって移動局２００の電源オンオフ機能を解除できる構成とすることもできる。例えば、移動局２００の電源がオンの時、電力値入力部７２より異常に小さい値の期待値を設定しておけば、どのような場合も受信電力測定部２１の判定は受信電力が期待値以上という結果となり、移動局２００が主電源がオフになることがなく、電源オンオフ機能を解除した状態にすることができる。
【００８４】
尚、制御部６による主電源のオンオフ制御は送信部４に対してのみ行われるようにしても、送信部４での電力消費が大きいため、ほぼ同様の効果がある。
【００８５】
（第７の実施の形態）
図９は、本発明の第７の実施の形態に係る移動局の構成例を示したブロック図である。但し、図６に示した第５の実施の形態と同様の部分には同一符号を付して説明する。移動局２００は、送受信用のアンテナ１、受信部２、ベースバンド信号処理部３、送信部４、送受話部５、制御部６を有し、図６に示した第４の実施の形態と同様であるが、受信部２に受信電力測定部２１が接続され、受信電力測定部２１が受信部２の外部に形成されている。
【００８６】
尚、受信部２、ベースバンド信号処理部３、制御部６及び受信電力測定部２１は移動局電力制御部１００を構成している。
【００８７】
本実施の形態によれば、受信電力測定部２１が受信部２の外部に形成されているため、通話機能を有する移動局２００本体と受信電力測定部２１が別であるのでどちらか一方が故障してももう一方の機能は維持される。例えば移動局２００の受信電力測定部２１が故障しても移動局２００本体が故障していない場合には、移動局２００本体の通話機能は損なわれずに済む。他の構成及び動作は図６に示した第４の実施の形態と同様で、同様の効果がある。
【００８８】
尚、制御部６による主電源のオン、オフ制御は送信部４に対してのみ行われるようにしても、送信部４での電力消費が大きいため、ほぼ同様の効果がある。
【００８９】
また、本実施の形態に、図８に示した第６の実施の形態のように、時間入力部７１を設けて時間設定を行える構成とし、同様の効果を得ることができる。
【００９０】
尚、本発明は上記実施の形態に限定されることなく、その要旨を逸脱しない範囲において、具体的な構成、機能、作用、効果において、他の種々の形態によっても実施することができる。例えば、図６、図８に示した第６、７の実施の形態にも移動局電力制御部１００に専用に待機電源を供給する移動局電力制御装置用電源を設ける構成としても良いなど、図示や説明していない各種組み合わせがある。
【００９１】
【発明の効果】
以上説明したように、本発明によれば、ベースバンド信号が所望の信号である止まり木チャネルが所定時間持続的に受信されたかどうかにより移動局の主電源をオンオフ制御することにより、移動局が基地局との間で所定条件を満足する通信ができない場合、即ち、移動局が基地局の圏外である状態が所定時間続いても、移動局の主電源をオフにして無駄な電力消費を無くすことができ、電力の利用効率を向上させることができる。
【図面の簡単な説明】
【図１】本発明の第１の実施の形態に係る移動局の構成例を示したブロック図である。
【図２】図１に示した移動局の電源のオンオフ制御手順を示したフローチャートである。
【図３】本発明の第２の実施の形態に係る移動局の構成例を示したブロック図である。
【図４】本発明の第３の実施の形態に係る移動局の構成例を示したブロック図である。
【図５】本発明の第４の実施の形態に係る移動局の構成例を示したブロック図である。
【図６】本発明の第５の実施の形態に係る移動局の構成例を示したブロック図である。
【図７】図６に示した移動局の電源オンオフ制御手順を示したフローチャートである。
【図８】本発明の第６の実施の形態に係る移動局の構成例を示したブロック図である。
【図９】本発明の第７の実施の形態に係る移動局の構成例を示したブロック図である。
【符号の説明】
１　アンテナ
２　受信部
３　ベースバンド信号処理部
４　送信部
５　送受話部
６　制御部
７　入力部
８　移動局電力制御装置用電源
２１　受信電力測定部
３１　ベースバンド信号判定部
７１　時間入力部
７２　電力値入力部
１００　移動局電力制御部
２００　移動局
【図１】
2004080502.tif 000003
【図２】
2004080502.tif 000004
【図３】
2004080502.tif 000005
【図４】
2004080502.tif 000006
【図５】
2004080502.tif 000007
【図６】
2004080502.tif 000008
【図７】
2004080502.tif 000009
【図８】
2004080502.tif 000010
【図９】
2004080502.tif 000011